(57)【要約】投影ディスプレイスクリーンを所定位置に保持しつつスクリーンの公差を吸収する上部及び底部のスクリーンマウンチングブラケット上のストリップマウントが開示される。ストリップマウントは、スクリーンを所定位置に保持するＣ字型の断面を有する。スクリーンマウンチングブラケットは、細長い高剛性の部材である。
2009524079.tif 000002
【特許請求の範囲】
【請求項１】
投影ディスプレイスクリーンをその前側からキャビネットに搭載するためのブラケットであって、
前記スクリーンが搭載されるスクリーンフレームに取り付けられるスクリーンブラケットと、
前記スクリーンブラケットに取り付けられ、前記スクリーンに接触するストリップマウントとを含む、ブラケット。
【請求項２】
前記スクリーンブラケットは、連続性がある、請求項１に記載のブラケット。
【請求項３】
前記スクリーンブラケットは、長手方向に沿って一定の断面を有する、請求項２に記載のブラケット。
【請求項４】
前記ストリップマウント及びスクリーンブラケットは、押し出し品である、請求項１に記載のブラケット。
【請求項５】
前記スクリーンブラケットは、アルミから形成される、請求項１に記載のブラケット。
【請求項６】
前記ストリップマウントは、Ｃ字型である、請求項１に記載のブラケット。
【請求項７】
投影ディスプレイであって、
キャビネットと、
スクリーンフレームに搭載されるスクリーンと、
前記スクリーンフレームを搭載するためのブラケットとを含み、
前記ブラケットには、前記スクリーンに接触するストリップマウントが取り付けられる、投影ディスプレイ。
【請求項８】
前記ブラケットは、連続性がある、請求項７に記載の投影ディスプレイ。
【請求項９】
前記ブラケットは、長手方向に沿って一定の断面を有する、請求項８に記載の投影ディスプレイ。
【請求項１０】
前記ストリップマウント及びブラケットは、押し出し品である、請求項７に記載の投影ディスプレイ。
【請求項１１】
前記ブラケットは、アルミから形成される、請求項７に記載の投影ディスプレイ。
【請求項１２】
前記ストリップマウントは、Ｃ字型である、請求項７に記載の投影ディスプレイ。
【発明の詳細な説明】
【技術分野】
【０００１】
本発明は、一般的には投影ディスプレイに関し、より詳細には、投影ディスプレイスクリーンを搭載するための詳細に関する。
【背景技術】
【０００２】
投影ディスプレイテレビジョンは広く使用されつつある。これらの投影ディスプレイテレビジョン用のキャビネットは、典型的には、プラスティックから作成される。投影ディスプレイテレビジョンが典型的に有する問題は、スクリーンの上縁を真っ直ぐに適切な位置で保つことである。プラスティック製のキャビネットは、良好な外観を提供するが、上縁に沿って垂れ下がる傾向を有し、上縁を真っ直ぐに所定位置で保つ能力を悪化させる。これは、アップアングル光学素子を内蔵する投影ディスプレイテレビジョンに関してより厳しい問題となる。というのは、かかるテレビジョンは、光学素子に対してより正確なスクリーン位置を必要とするからである。
【発明の開示】
【発明が解決しようとする課題】
【０００３】
多くの投影テレビジョンは、大きな寸法公差及び変動によりスクリーンを搭載する問題点を有する。特定の問題は、スクリーンの厚さの公差である。スクリーンは、典型的には、共に積層及び／又はテープで留めされる複数のピースから作成される。その他の問題は、スクリーンの幅及び高さが温度及び湿度に応じて大きく変化しうることである。スクリーンは、幅及び高さ方向に膨脹自在である必要があり、さもなければ膨れて張り出すことになる。近年の投影テレビジョンにおいて急峻なアップアングルが伴われることにより、スクリーンの膨れは顕著な画像の歪を引き起こすことができる。典型的には、これらのスクリーンは、メタルウッド若しくはプラスティックにおける溝に保持される。溝は、スクリーン及び合わせ部品の膨脹及び拘束のための空間を有する。ルーズな嵌合は、従来的な投影テレビジョンディスプレイ及び軸上（on-axis）型マイクロディスプレイセットに対して許容可能であるが、これは、最終的な画像ジオメトリが歪まないためである。
【０００４】
しかしながら、近年の投影ディスプレイの光線経路に関連した急峻なアップアングルにより、スクリーン表面の位置の変化は、画像ジオメトリに大きな歪を生む。
【課題を解決するための手段】
【０００５】
本発明は、投影ディスプレイスクリーンを所定位置に保持しつつスクリーンの公差を吸収する上部及び底部のスクリーンマウンチングブラケット上のストリップマウントを提供する。ストリップマウントは、スクリーンを所定位置に保持するＣ字型の断面を有する。スクリーンマウンチングブラケットは、細長い高剛性の部材である。
【発明を実施するための最良の形態】
【０００６】
次に、添付図面を参照して本発明の模範的な実施例が説明される。
【０００７】
本発明は、図１Ａ乃至３Ｃに示すように、投影ディスプレイテレビジョンのスクリーンフレームの上部を真っ直ぐに維持し、後方からの螺子の使用無しでスクリーン組立体を前側から取り外すことを可能とする押し出し型の金属ヒンジ機構を提供する。
【０００８】
模範的な投影ディスプレイテレビジョンは図１Ａ乃至３Ｃに示される。スクリーンマウンチングブラケット５０は、スクリーンフレーム１２用の連続した補強部材である上部及び底部のアルミ押し出し品を有する。アルミ押し出し品は、製造が安価であり、良好な寸法安定性及び剛性特性を提供する。上部及び底部のスクリーンマウンチングブラケット５０に取り付けられるストリップマウント５５Ａ，５５Ｂは、投影ディスプレイスクリーン１０を所定位置に保持するために使用される。
【０００９】
スクリーンマウンチングブラケット５０Ａは、スクリーンフレーム１２に取り付く係止部（アンカー部）５１と、ストリップマウント５５を受け入れる“Ｔ”字型の細部５６とを含む。模範的な実施例では、係止部５１は、スクリーンフレーム１２への圧入を形成するためにスクリーンフレーム１２内の突起及び／又は凹部に適合する。
【００１０】
ストリップマウント５５Ａは、スクリーンマウンチングブラケット５０Ａの“Ｔ”字型の細部５６に取り付けられる一方、ストリップマウント５５Ｂは、スクリーンマウンチングブラケット５０Ｂの“Ｔ”字型の細部５６に取り付けられる。模範的な実施例では、ストリップマウント５５Ａ，５５Ｂは、Ｃ字型の断面を有し、柔軟なプラスティック製の押し出し品から作成されてもよい。スクリーンフレーム１２に合わせられるとき、押し出し品の凸部とフレームの間には、スクリーンの厚さを吸収するための空間が存在する。ストリップマウントの断面は、Ｃ字型の断面が断面の曲がりを可能としスクリーンに対する予圧を維持することを可能とするようにされる。ストリップマウント５５Ａ，５５Ｂは、連続し、最終的には、スクリーン１０に圧接する。
【００１１】
上部及び底部のスクリーンマウンチングブラケット５０Ａ，５０Ｂは金属の押し出し品であり、ストリップマウント５５Ａ，５５Ｂを捕捉するための嵌合する“Ｔ”字型の細部５６（図３Ｃ）を有する。この嵌合する細部５６は、ストリップマウント５５Ａ，５５Ｂが金属の押し出し品を押し込むようにされる。ストリップマウント５５Ａ，５５Ｂに対して圧力が存在するとき、Ｃ字形状が開き、押し出し品の高さが必要な際につぶれ、理にかなった力を維持しつつスクリーン厚さの変動を吸収する。ストリップマウント５５Ａ，５５Ｂ用に使用されるプラスティック若しくはゴム系材料は、スクリーン１０の材料に化学的に共存性のあるように選択され、搬送及び振動中にスクリーン材料への摩耗を防止する表面硬度特性を有するように選択される。ストリップマウント５５内に内蔵される直線的な押し出し品５８は、スクリーン１０上への望ましくない光の反射を低減する“光ストリップ”として機能する。同様の結果は、大型の直線的な押し出し品ではなく複数の小型の条線をストリップマウントの側壁に組み入れることにより得ることができうる。
【００１２】
スクリーンマウンチングブラケット５０Ａ，５０Ｂ及びストリップマウント５５Ａ，５５Ｂは、細長い方向（長手方向）の実質的に全長（即ち、スクリーンフレーム１２の全幅）で延在し、スクリーンフレーム１２の上縁全体の剛性を高め、スクリーン１０の上縁を適切な位置で真っ直ぐに保持する。
【００１３】
キャビネットは、投影ディスプレイテレビジョンに対して典型的であるように、プラスティック製であってよい。これらの押し出し品の形態のブラケット５０は、プラスティック製のキャビネットに搭載されるとき、キャビネット２０の上縁に沿って低断面の構造部材を構成する。構造部材は、スクリーンフレーム１２の臨界的な位置を維持する補助のためにキャビネット２０の他の構造部材に結び付けられることができる。アルミ押し出し品は、仕上げが非常に低コストであることに加えて、本来的に真っ直ぐであり、プラスティック押し出し品、形成シートメタル、木若しくは成形プラスティックのような他の部品に比べて、剛性及び安定性がある。
【００１４】
上述は本発明を実施するための可能性の幾つかを図示している。多くの他の実施例が本発明の範囲内で可能である。例えば、模範的な実施例は、構造部材用のアルミ押し出し品を示すが、本概念は、ロール形成シートメタルや順送り型で生成されるシートメタル部品にも適用可能である。それ故に、上述の説明は、限定というよりは例示としてみなされ、本発明の範囲は、その均等物の全範囲と共に添付の請求項により与えられることが意図される。
【図面の簡単な説明】
【００１５】
【図１Ａ】本発明の模範的な実施例による投影ディスプレイテレビジョンの前方斜視図。
【図１Ｂ】図１Ａの投影ディスプレイテレビジョンの後方斜視図。
【図２】図１Ａ及び１Ｂの投影ディスプレイテレビジョンの部分的な後方斜視図であり、本発明の模範的な実施例による上部押し出し品を示す図。
【図３Ａ】プラスティック製のスクリーンフレーム、押し出し品及びストリップマウントの分解された側面図。
【図３Ｂ】図３Ａのプラスティック製のスクリーンフレーム、押し出し品及びストリップマウントの断面図。
【図３Ｃ】図２の押し出し品及びストリップマウントの断面図。
【図１Ａ】
2009524079.tif 000003
【図１Ｂ】
2009524079.tif 000004
【図２】
2009524079.tif 000005
【図３Ａ】
2009524079.tif 000006
【図３Ｂ】
2009524079.tif 000007
【図３Ｃ】
2009524079.tif 000008